(57)【特許請求の範囲】
【請求項１】
映像データ及び入力制御信号を提供する中央処理部と、
前記映像データ及び入力制御信号に基づいて映像を表示する表示装置と、
前記中央処理部と前記表示装置との間に接続され、前記表示装置に電圧異常が発生したか否かに対する情報を含む信号を前記中央処理部に伝達するフィードバック部（ｆｅｅｄｂａｃｋ＿ｕｎｉｔ）と、を備え、
前記表示装置は、表示板組立体と、前記表示板組立体を駆動する駆動部と、を有し、
前記駆動部は、前記表示板組立体を駆動する第１電圧、第２電圧、及び第３電圧を含む駆動電圧を生成する駆動電圧生成部と、前記第１電圧に基づいて複数の階調電圧を生成する階調電圧生成部と、前記階調電圧に基づいてデータ電圧を生成して前記表示板組立体に印加するデータ駆動部と、前記第２電圧及び第３電圧それぞれに基づいてゲートオン電圧及びゲートオフ電圧からなるゲート信号を生成して前記表示板組立体に印加するゲート駆動部と、映像データを処理して前記データ駆動部に出力映像データを送信し、前記入力制御信号に基づいて出力制御信号を前記ゲート駆動部及びデータ駆動部に送信する信号処理部と、を有し、
前記フィードバック部は、前記中央処理部と接続端子を通じて接続されるトランジスタと、前記トランジスタの制御電極と前記表示装置との間に接続される第１抵抗と、前記第１抵抗と接続され、前記トランジスタの制御電極と接地との間に接続される第２抵抗と、を有し、
前記第１抵抗は前記表示装置と第１端子（Ｅ１）を介して接続され、
前記表示装置から前記フィードバック部の前記第１端子（Ｅ１）に前記第１電圧、第２電圧、及び第３電圧を含む駆動電圧のうちのいずれか一つが印加され、
前記第１ないし第３電圧は、前記表示装置に電圧異常が発生すると規定の水準以下になり、前記信号は前記第１ないし第３電圧が規定の水準以上か否かを示し、
前記中央処理部は、前記表示装置に電圧異常が発生して表示動作にエラーが発生すれば、前記表示装置の駆動条件を初期化することを特徴とする電子装置。
【請求項２】
前記トランジスタは、前記中央処理部と接続される入力端子と、接地電圧と接続される出力端子と、前記第１抵抗及び第２抵抗と接続される制御端子と、を有することを特徴とする請求項１に記載の電子装置。
【請求項３】
前記トランジスタは、ｎ型トランジスタであることを特徴とする請求項２に記載の電子装置。
【請求項４】
前記フィードバック部は、前記トランジスタの入力端子と基準電源との間に接続される第３抵抗をさらに有することを特徴とする請求項２に記載の電子装置。
【請求項５】
前記第１抵抗と前記第２抵抗それぞれの抵抗値の比は６：１であることを特徴とする請求項１に記載の電子装置。
【請求項６】
前記第１抵抗の抵抗値は１８０ＫΩであり、前記第２抵抗の抵抗値は３０ＫΩであることを特徴とする請求項５に記載の電子装置。
【請求項７】
前記表示装置から前記フィードバック部に前記第２電圧が印加されることを特徴とする請求項１に記載の電子装置。
【請求項８】
前記第２電圧が基準より低ければ前記トランジスタがターンオフし、前記中央処理部の接続端子には第１レベルの信号が印加され、前記第２電圧が基準より高ければ前記トランジスタがターンオンし、前記中央処理部の接続端子には第２レベルの信号が印加されることを特徴とする請求項７に記載の電子装置。
【請求項９】
前記中央処理部の接続端子に第１レベルの信号が印加されると、前記中央処理部は前記表示装置の駆動条件を初期化して表示動作が再び行われるようにし、前記中央処理部の接続端子に第２レベルの信号が印加されると、前記表示装置は正常に表示動作を行うことを特徴とする請求項８に記載の電子装置。
【請求項１０】
前記第１レベルは、前記第２レベルより高い電圧レベルであることを特徴とする請求項９に記載の電子装置。
【発明の詳細な説明】
【技術分野】
【０００１】
本発明は、表示装置を含む電子装置及びその駆動方法に関するものである。
【背景技術】
【０００２】
近年、重くて大きい陰極線管（ｃａｔｈｏｄｅ  ｒａｙ  ｔｕｂｅ、ＣＲＴ）に代わって有機発光表示装置（ｏｒｇａｎｉｃ  ｌｉｇｈｔ  ｅｍｉｔｔｉｎｇ  ｄｅｖｉｃｅ、ＯＬＥＤ）、プラズマ表示装置（ｐｌａｓｍａ  ｄｉｓｐｌａｙ  ｐａｎｅｌ、ＰＤＰ）、及び液晶表示装置（ｌｉｑｕｉｄ  ｃｒｙｓｔａｌ  ｄｉｓｐｌａｙ、ＬＣＤ）のような平板表示装置が活発に開発されている。
【０００３】
ＰＤＰは、気体放電によって発生するプラズマを利用して文字や映像を表示する装置であり、有機発光表示装置は、特定の有機物または高分子の電界発光を利用して文字または映像を表示する。液晶表示装置は、二つの表示板の間に入っている液晶層に電場を印加し、この電場の強さを調節して液晶層を通過する光の透過率を調節することによって所望の画像を得る。
【０００４】
このような平板表示装置のうち、例えば、液晶表示装置と有機発光表示装置は、スイッチング素子を含む画素と表示信号線が具備された表示板、表示信号線のうちのゲート線にゲート信号を送信して画素のスイッチング素子をオン／オフさせるゲート駆動部、複数の階調電圧を生成する階調電圧生成部、階調電圧のうちの映像データに対応する電圧をデータ電圧として選択し、表示信号線のうちのデータ線にデータ電圧を印加するデータ駆動部、及びこれらを制御する信号制御部を有する。
【０００５】
一方、携帯電話、ＰＭＰ（ｐｏｒｔａｂｌｅ  ｍｕｌｔｌｍｅｄｉａ  ｐｌａｙｅｒ）、ナビゲーションなどのような電子装置は、このような表示装置を装着して電子装置の動作状態及び結果などを表示する。このような中小型電子装置は、中央処理装置に相当するＭＰＵ（ｍｉｃｒｏ  ｐｒｏｃｅｓｓ  ｕｎｉｔ）を有し、表示装置は、ＭＰＵから映像信号及び制御信号などの伝達を受けて表示板を駆動する駆動チップを有する。
【０００６】
このような表示装置に外部から静電気が入力されれば、表示装置の駆動にエラーが発生して画面の不良が発生するという問題点がある。このような画面の不良は、実際に画面になんにも表示されない黒化現象と認識される場合が多い。これは、表示装置の駆動チップで昇圧動作などがうまく行われなくて、駆動電圧が正常に生成されないために起こる。このような現象を静電気損傷（ｅｌｅｃｔｒｏ  ｓｔａｔｉｃ  ｄａｍａｇｅ：ＥＳＤ）という。
【発明の開示】
【発明が解決しようとする課題】
【０００７】
そこで、本発明は上記従来の問題点に鑑みてなされたものであって、本発明の目的は、表示装置に静電気が印加された場合、これを認知して表示装置が正常な表示状態を維持するようにし、静電気損傷が認識されないようにする電子装置及びその駆動方法を提供することにある。
【課題を解決するための手段】
【０００８】
上記目的を達成するためになされた本発明による電子装置は、映像データ及び入力制御信号を提供する中央処理部と、前記映像データ及び入力制御信号に基づいて映像を表示する表示装置と、前記中央処理部と前記表示装置との間に接続され、前記表示装置に電圧異常が発生したか否かに対する情報を含む信号を前記中央処理部に伝達するフィードバック部（ｆｅｅｄｂａｃｋ＿ｕｎｉｔ）と、を備え、
前記表示装置は、表示板組立体と、前記表示板組立体を駆動する駆動部と、を有し、前記駆動部は、前記表示板組立体を駆動する第１電圧、第２電圧、及び第３電圧を含む駆動電圧を生成する駆動電圧生成部と、前記第１電圧に基づいて複数の階調電圧を生成する階調電圧生成部と、前記階調電圧に基づいてデータ電圧を生成して前記表示板組立体に印加するデータ駆動部と、前記第２電圧及び第３電圧それぞれに基づいてゲートオン電圧及びゲートオフ電圧からなるゲート信号を生成して前記表示板組立体に印加するゲート駆動部と、映像データを処理して前記データ駆動部に出力映像データを送信し、前記入力制御信号に基づいて出力制御信号を前記ゲート駆動部及びデータ駆動部に送信する信号処理部と、を有し、
前記フィードバック部は、前記中央処理部と接続端子を通じて接続されるトランジスタと、前記トランジスタの制御電極と前記表示装置との間に接続される第１抵抗と、前記第１抵抗と接続され、前記トランジスタの制御電極と接地との間に接続される第２抵抗と、を有し、
前記第１抵抗は前記表示装置と第１端子（Ｅ１）を介して接続され、前記表示装置から前記フィードバック部の前記第１端子（Ｅ１）に前記第１電圧、第２電圧、及び第３電圧を含む駆動電圧のうちのいずれか一つが印加され、
前記第１ないし第３電圧は、前記表示装置に電圧異常が発生すると規定の水準以下になり、前記信号は前記第１ないし第３電圧が規定の水準以上か否かを示し、前記中央処理部は、前記表示装置に電圧異常が発生して表示動作にエラーが発生すれば、前記表示装置の駆動条件を初期化することを特徴とする。
前記トランジスタは、前記中央処理部と接続される入力端子と、接地電圧と接続される出力端子と、前記第１抵抗及び第２抵抗と接続される制御端子と、を有し得る。
前記トランジスタはｎ型トランジスタであり得る。
前記フィードバック部は、前記トランジスタの入力端子と基準電源との間に接続される第３抵抗をさらに有することができる。
前記第１抵抗と前記第２抵抗それぞれの抵抗値の比は６：１であり得る。
前記第１抵抗の抵抗値は１８０ＫΩであり、前記第２抵抗の抵抗値は３０ＫΩであり得る。
前記表示装置から前記フィードバック部に前記第２電圧が印加できる。
前記第２電圧が基準より低ければ前記トランジスタがターンオフし、前記中央処理部の接続端子には第１レベルの信号が印加され、前記第２電圧が基準より高ければ前記トランジスタがターンオンし、前記中央処理部の接続端子には第２レベルの信号が印加されるようにすることができる。
前記中央処理部の接続端子に第１レベルの信号が印加されると、前記中央処理部は前記表示装置の駆動条件を初期化して表示動作が再び行われるようにし、前記中央処理部の接続端子に第２レベルの信号が印加されると、前記表示装置は正常に表示動作を行うようにすることができる。
前記第１レベルは、前記第２レベルより高い電圧レベルであり得る。
【０００９】
上記目的を達成するためになされた本発明による電子装置の駆動方法は、映像データ及び入力制御信号を提供する中央処理部と、前記映像データ及び入力制御信号に基づいて映像を表示する表示装置と、を備える電子装置の駆動方法であって、前記表示装置に静電気が印加されたか否かを判断する段階と、前記表示装置に静電気が印加されない場合、前記表示装置が正常に表示動作を行う段階と、前記表示装置に静電気が印加されて表示動作にエラーが発生する場合、前記中央処理部が前記表示装置の駆動条件を初期化する段階と、前記表示装置の駆動条件が初期化された後、再び表示動作を開始する段階と、を有することを特徴とする。
前記中央処理部と前記表示装置との間に接続されるフィードバック部をさらに備え、前記静電気が印加されたか否かを判断する段階は、前記表示装置に静電気が印加された場合、前記中央処理部と前記フィードバック部との間を接続する接続端子に第１レベルの信号が印加される段階と、前記表示装置に静電気が印加されない場合、前記接続端子に第２レベルの信号が印加される段階と、を有することができる。
前記表示装置が正常に表示動作を行う段階は、前記中央処理部の接続端子に第１レベルの信号が印加された後に行われ、前記表示装置の駆動条件を初期化する段階は、前記中央処理部の接続端子に第２レベルの信号が印加された後に行われても良い。
前記第１レベルは、前記第２レベルより高い電圧レベルであり得る。
前記フィードバック部は、前記中央処理部と接続端子を通じて接続されるスイッチング素子と、前記スイッチング素子と前記表示装置との間に接続される第１抵抗と、前記第１抵抗と接続され、前記スイッチング素子と接地との間に接続される第２抵抗と、を有することができる。
前記スイッチング素子は、基準電源が接続される入力端子と、前記中央処理部と接続される出力端子と、前記第１抵抗及び第２抵抗と接続される制御端子と、を有するトランジスタとすることができる。
前記トランジスタはｎ型トランジスタであり得る。
前記フィードバック部は、前記トランジスタの入力端子と前記基準電源との間に接続される第３抵抗をさらに有することができる。
前記第１抵抗と前記第２抵抗それぞれの抵抗値の比は６：１であり得る。
前記第１抵抗の抵抗値は１８０ＫΩであり、前記第２抵抗の抵抗値は３０ＫΩであり得る。
前記表示装置から前記フィードバック部には第１電圧、第２電圧、及び第３電圧を含む駆動電圧のうちのいずれか一つが印加できる。
【発明の効果】
【００１０】
本発明によれば、表示装置に静電気が印加された場合、これを認知して表示装置が正常な表示状態を維持するようにして、静電気損傷が認識されないようにすることができる。
【発明を実施するための最良の形態】
【００１１】
以下、本発明の電子装置及びその駆動方法を実施するための最良の形態の具体例を、図面を参照しながら詳細に説明する。しかし、本発明は多様で異なる形態で実現することができ、ここで説明する実施形態に限定されない。
【００１２】
図面において、種々の層及び領域を明確に表現するために厚さを拡大して示した。明細書の全体にわたって類似する部分については同一の図面符号を付けた。層、膜、領域、板などの部分が他の部分の“上”にあるとする時、これは他の部分の“すぐ上”にある場合だけでなく、その中間に他の部分がある場合も含む。逆に、ある部分が他の部分の“すぐ上”にあるとする時には、中間に他の部分がないことを意味する。
【００１３】
図１は、本発明の一実施形態による液晶表示装置の分解斜視図であり、図２は、本発明の一実施形態による電子装置のブロック図であり、図３は、本発明の一実施形態による液晶表示装置の一つの画素に対する等価回路図である。
【００１４】
まず、図２を参照すれば、本発明の一実施形態による電子装置は、中央処理部１０００と、中央処理部１０００と接続されている表示装置２０００とを有する。
【００１５】
中央処理部１０００は、電子装置全体の動作を制御し、表示装置２０００に入力映像信号Ｒ、Ｇ、Ｂ及び制御信号を提供する。本発明による電子装置が携帯電話のような中小型装置である場合には、中央処理部１０００は実際にＭＰＵ（ｍｉｃｒｏ  ｐｒｏｃｅｓｓｕｎｉｔ）であっても良く、本発明による電子装置がコンピュータである場合には、中央処理部１００はＣＰＵ（ｃｅｎｔｒａｌ  ｐｒｏｃｅｓｓｉｎｇ  ｕｎｉｔ）であっても良い。
【００１６】
図１を参照すれば、本発明の一実施形態による電子装置の表示装置２０００は、表示板部３３０とバックライト部９００を有する液晶モジュール、液晶モジュールを収納する上部シャーシ３６１及び下部シャーシ３６２、並びにモールドフレーム３６３を有する。
【００１７】
表示板部３３０は、液晶表示板組立体（ｌｉｑｕｉｄ  ｃｒｙｓｔａｌ  ｐａｎｅｌ  ａｓｓｅｍｂｌｙ）３００、これに付着されている駆動チップ（駆動部）７００、及び可撓性印刷回路基板（ｆｌｅｘｉｂｌｅ  ｐｒｉｎｔｅｄ  ｃｉｒｃｕｉｔ  ｂｏａｒｄ）６５０を有する。
【００１８】
図２及び図３を参照すれば、液晶表示板組立体３００は、等価回路から見れば、複数の信号線Ｇ１〜Ｇｎ、Ｄ１〜Ｄｍと、複数の画素ＰＸとを有する。一方、図３に示す構造から見れば、液晶表示板組立体３００は、互いに対向する下部表示板１００及び上部表示板２００と、その間に入っている液晶層３とを有する。
【００１９】
信号線Ｇ１〜Ｇｎ、Ｄ１〜Ｄｍは、下部表示板１００に備えられ、ゲート信号（“走査信号”ともいう）を伝達する複数のゲート線Ｇ１〜Ｇｎと、データ電圧を伝達する複数のデータ線Ｄ１〜Ｄｍとを有する。ゲート線Ｇ１〜Ｇｎはほぼ行方向にのび、互いにほとんど平行であり、データ線Ｄ１〜Ｄｍはほぼ列方向にのび、互いにほとんど平行である。
【００２０】
画素ＰＸは行列状に配列されている。各画素ＰＸ、例えば、ｉ番目（ｉ＝１、２、…、ｎ）のゲート線Ｇｉと、ｊ番目（ｊ＝１、２、…、ｍ）のデータ線Ｄｊとに接続された画素ＰＸは、信号線Ｇｉ、Ｄｊに接続されたスイッチング素子Ｑ、これに接続された液晶キャパシタ（ｌｉｑｕｉｄ  ｃｒｙｓｔａｌ  ｃａｐａｃｉｔｏｒ）Ｃｌｃ、及びストレージキャパシタ（ｓｔｏｒａｇｅ  ｃａｐａｃｉｔｏｒ）Ｃｓｔを有する。ストレージキャパシタＣｓｔは必要に応じて省略され得る。
【００２１】
スイッチング素子Ｑは、下部表示板１００に備えられている薄膜トランジスタなどの三端子素子であって、その制御端子はゲート線Ｇｉと接続されており、入力端子はデータ線Ｄｊと接続されており、出力端子は液晶キャパシタＣｌｃ及びストレージキャパシタＣｓｔと接続されている。
【００２２】
液晶キャパシタＣｌｃは、下部表示板１００の画素電極１９１と上部表示板２００の共通電極２７０とを二つの端子とし、画素電極１９１及び共通電極２７０の二つの電極間の液晶層３は誘電体として機能する。画素電極１９１はスイッチング素子Ｑと接続され、共通電極２７０は、上部表示板２００の全面に形成され、共通電圧Ｖｃｏｍの印加を受ける。図３とは異なって、共通電極２７０が下部表示板１００に備わる場合もあり、この時には、二つの電極１９１、２７０のうちの少なくとも一つを線状または棒状に作っても良い。
【００２３】
液晶キャパシタＣｌｃの補助的な役割を果たすストレージキャパシタＣｓｔは、下部表示板１００に具備された別個の信号線（図示せず）と画素電極１９１とが絶縁体を間に置いて重畳してなり、この別個の信号線には共通電圧Ｖｃｏｍなどの決められた電圧が印加される。しかし、ストレージキャパシタＣｓｔは、画素電極１９１が絶縁体を媒介としてすぐ上の前段ゲート線Ｇｉ−１と重畳して形成されるようにすることもできる。
【００２４】
一方、色表示を実現するためには、各画素ＰＸが基本色（ｐｒｉｍａｒｙ  ｃｏｌｏｒ）のうちの一つを固有に表示したり（空間分割）、各画素ＰＸが時間によって交互に基本色を表示したり（時間分割）するようにして、これら基本色の空間的、時間的な合計によって所望の色相が認識されるようにする。基本色の例としては赤色、緑色、青色などの三原色がある。図３は空間分割の一例であって、各画素ＰＸが画素電極１９１に対応する上部表示板２００の領域に基本色のうちの一つを示すカラーフィルタ２３０を備えることを示している。図３とは異なって、カラーフィルタ２３０は下部表示板１００の画素電極１９１の上または下に設けても良い。
【００２５】
液晶表示板組立体３００には少なくとも一つの偏光子（図示せず）が備えられている。
【００２６】
再び図１及び図２を参照して説明すると、駆動チップ７００は、駆動電圧生成部７１０、階調電圧生成部８００、ゲート駆動部４００、データ駆動部５００、及び信号制御部６００などを有する。
【００２７】
駆動電圧生成部７１０は、基本電圧（ｂａｓｉｃ  ｖｏｌｔａｇｅ）の入力を受け、これに基づいて昇圧して表示装置の駆動に必要な第１電圧ＧＶＤＤ、第２電圧ＶＧＨ、第３電圧ＶＧＬの各電圧を生成し、再びこれらに基づいて第１共通電圧ＶｃｏｍＨ及び第２共通電圧ＶｃｏｍＬを生成する。
【００２８】
ここで、第１電圧ＧＶＤＤは、各種駆動電圧生成の基礎となり、階調電圧生成部８００に入力されて基準階調電圧の基本になる。
【００２９】
第２電圧ＶＧＨ及び第３電圧ＶＧＬの各々は、スイッチング素子Ｑをターンオンさせることのできるゲートオン電圧Ｖｏｎと、スイッチング素子Ｑをターンオフさせることのできるゲートオフ電圧Ｖｏｆｆであって、ゲート信号を構成する。
【００３０】
第１共通電圧ＶｃｏｍＨ及び第２共通電圧ＶｃｏｍＬは、周期信号の共通電圧Ｖｃｏｍの最大値及び最小値である。
【００３１】
階調電圧生成部８００は、駆動電圧生成部７１０から受けた基準となる第１電圧ＧＶＤＤに基づいて、画素ＰＸの透過率に関する全体階調電圧または限定された数の階調電圧（以下、“基準階調電圧”という）を生成する。（基準）階調電圧は、共通電圧Ｖｃｏｍに対して正の値を有するものと、負の値を有するものとを含むことができる。
【００３２】
ゲート駆動部４００は、液晶表示板組立体３００のゲート線Ｇ１〜Ｇｎと接続されており、駆動電圧生成部７１０からゲートオン電圧Ｖｏｎ及びゲートオフ電圧Ｖｏｆｆを受けてこれらを組み合わせてゲート信号を生成し、これをゲート線Ｇ１〜Ｇｎに印加する。
【００３３】
データ駆動部５００は、液晶表示板組立体３００のデータ線Ｄ１〜Ｄｍと接続されており、階調電圧生成部８００からの階調電圧を選択し、これをデータ電圧としてデータ線Ｄ１〜Ｄｍに印加する。しかし、階調電圧生成部８００が階調電圧を全て提供することでなく、限定された数の基準階調電圧のみを提供する場合に、データ駆動部５００は基準階調電圧を分圧して所望のデータ電圧を選択する。
【００３４】
信号制御部６００は、ゲート駆動部４００及びデータ駆動部５００などを制御する。
このようなゲート駆動部４００、データ駆動部５００、信号制御部６００、駆動電圧生成部７１０、及び階調電圧生成部８００の駆動装置は、これらのうちの少なくとも一つまたはこれらをなす少なくとも一つの回路素子が単一チップの外側にあっても良い。また、駆動装置４００、５００、６００、７１０、８００の各々は、少なくとも一つの集積回路チップの形態で液晶表示板組立体３００上に直接装着されても良く、可撓性印刷回路膜（ｆｌｅｘｉｂｌｅ  ｐｒｉｎｔｅｄ  ｃｉｒｃｕｉｔ  ｆｉｌｍ）（図示せず）上に装着されてＴＣＰ（ｔａｐｅ  ｃａｒｒｉｅｒ  ｐａｃｋａｇｅ）の形態で液晶表示板組立体３００に付着されても良く、別途の印刷回路基板（ｐｒｉｎｔｅｄ  ｃｉｒｃｕｉｔ  ｂｏａｒｄ）（図示せず）上に装着されても良い。これとは異なって、これら駆動装置４００、５００、６００、７１０、８００が、信号線Ｇ１〜Ｇｎ、Ｄ１〜Ｄｍ及び薄膜トランジスタスイッチング素子Ｑなどと共に液晶表示板組立体３００に集積されても良い。
【００３５】
図１を参照すれば、可撓性印刷回路基板６５０は液晶表示板組立体３００の一辺付近に付着されている。可撓性印刷回路基板６５０は、液晶表示板組立体３００とは反対の方向に位置した突出部６６０を含む。突出部６６０は、中央処理部１０００からの各種信号の印加を受け、可撓性印刷回路基板６５０を通じて駆動チップ７００にその信号を伝達する。
【００３６】
可撓性印刷回路基板６５０は受動素子部（図示せず）を含む。受動素子部は、電圧線を通じて駆動チップ７００の駆動電圧生成部７１０に接続されている。受動素子部は、駆動電圧生成部７１０で駆動電圧の生成に必要なキャパシタ、インダクタ及び抵抗のような受動素子を複数個含む。
【００３７】
モールドフレーム３６３は、上部シャーシ３６１と下部シャーシ３６２との間に位置する。
【００３８】
バックライト部９００は、ランプＬＰと、これを制御する回路要素（図示せず）、印刷回路基板６７０、導光板９０２、反射シート９０３、及び複数の光学シート９０１を有する。
【００３９】
ランプＬＰは、モールドフレーム３６３の短辺の周縁付近に位置した印刷回路基板６７０に固定されており、液晶表示板組立体３００に光を供給する。
【００４０】
導光板９０２は、ランプＬＰからの光を液晶表示板組立体３００側に案内し、光の強さを均一にする。
【００４１】
反射シート９０３は、導光板９０２の下側に備えられており、ランプＬＰからの光を液晶表示板組立体３００に反射させる。
【００４２】
光学シート９０１は、導光板９０２の上側に備えられており、ランプＬＰからの光の輝度特性を確保する。
【００４３】
上部シャーシ３６１と下部シャーシ３６２はモールドフレーム３６３を介在して結合し、液晶モジュールを内部に収納する。
【００４４】
次に、このような電子装置の動作について詳細に説明する。
中央処理部１０００は、信号制御部６００に入力映像信号Ｒ、Ｇ、Ｂ及びその表示を制御する入力制御信号を提供する。
【００４５】
入力映像信号Ｒ、Ｇ、Ｂは、各画素ＰＸの輝度（ｌｕｍｉｎａｎｃｅ）情報を含んでおり、輝度は決められた数、例えば、１０２４（＝２１０）、２５６（＝２８）または６４（＝２６）個の階調（ｇｒａｙ）を有している。
【００４６】
入力制御信号の例としては、垂直同期信号Ｖｓｙｎｃ、水平同期信号Ｈｓｙｎｃ、メインクロック信号ＭＣＬＫ、及びデータイネーブル信号ＤＥなどがある。
【００４７】
信号制御部６００は、中央処理部１０００からの入力映像信号Ｒ、Ｇ、Ｂと入力制御信号に基づいて、入力映像信号Ｒ、Ｇ、Ｂを液晶表示板組立体３００の動作条件に合うように適切に処理し、ゲート制御信号ＣＯＮＴ１及びデータ制御信号ＣＯＮＴ２などを生成した後、ゲート制御信号ＣＯＮＴ１をゲート駆動部４００に送信し、データ制御信号ＣＯＮＴ２と処理したデジタル映像信号ＤＡＴをデータ駆動部５００に送信する。
【００４８】
ゲート制御信号ＣＯＮＴ１は、走査の開始を指示する走査開始信号ＳＴＶと、ゲートオン電圧Ｖｏｎの出力周期を制御する少なくとも一つのクロック信号とを含む。ゲート制御信号ＣＯＮＴ１は、また、ゲートオン電圧Ｖｏｎの持続時間を限定する出力イネーブル信号ＯＥをさらに含むことができる。
【００４９】
データ制御信号ＣＯＮＴ２は、一つの行の画素ＰＸに対するデジタル映像信号ＤＡＴの伝送の開始を知らせる水平同期開始信号ＳＴＨと、データ線Ｄ１〜Ｄｍにアナログデータ電圧の印加を指示するロード信号ＬＯＡＤと、データクロック信号ＨＣＬＫとを含む。データ制御信号ＣＯＮＴ２は、また、共通電圧Ｖｃｏｍに対するデータ電圧の極性（以下、“共通電圧に対するデータ電圧の極性”を略して“データ電圧の極性”という）を反転させる反転信号ＲＶＳをさらに含むことができる。
【００５０】
信号制御部６００からのデータ制御信号ＣＯＮＴ２によって、データ駆動部５００は一つの行の画素ＰＸに対するデジタル映像信号ＤＡＴを受信し、各デジタル映像信号ＤＡＴに対応する階調電圧を選択することによってデジタル映像信号ＤＡＴをアナログデータ電圧に変換した後、これを対応するデータ線Ｄ１〜Ｄｍに印加する。
【００５１】
ゲート駆動部４００は、信号制御部６００からのゲート制御信号ＣＯＮＴ１によってゲートオン電圧Ｖｏｎをゲート線Ｇ１〜Ｇｎに印加し、このゲート線Ｇ１〜Ｇｎに接続されたスイッチング素子Ｑをターンオンさせる。そうすると、データ線Ｄ１〜Ｄｍに印加されたデータ電圧が、ターンオンされたスイッチング素子Ｑを通じて対応する画素ＰＸに印加される。
【００５２】
画素ＰＸに印加されたデータ電圧と共通電圧Ｖｃｏｍとの差は液晶キャパシタＣｌｃの充電電圧、つまり、画素電圧として現れる。液晶分子は、画素電圧の大きさによってその配列を異にし、これによって液晶層３を通過する光の偏光が変化する。このような偏光の変化は、偏光子によって光の透過率の変化として現れ、これによって画素ＰＸは映像信号ＤＡＴの階調が示す輝度を表示する。
【００５３】
１水平周期［“１Ｈ”とも記し、水平同期信号Ｈｓｙｎｃ及びデータイネーブル信号ＤＥの一周期と同一である］を単位としてこのような過程を繰り返すことにより、全てのゲート線Ｇ１〜Ｇｎに対して順次にゲートオン電圧Ｖｏｎを印加し、全ての画素ＰＸにデータ電圧を印加して１フレーム（ｆｒａｍｅ）の映像を表示する。
【００５４】
１フレームが終了すると、次のフレームが開始し、各画素ＰＸに印加されるデータ電圧の極性が直前フレームにおける極性と反対になるようにデータ駆動部５００に印加される反転信号ＲＶＳの状態が制御される（“フレーム反転”）。この時、１フレーム内においても反転信号ＲＶＳの特性により、一つのデータ線を通じて流れるデータ電圧の極性が周期的に変わるか（例：行反転、点反転）、または一つの画素行に印加されるデータ電圧の極性も互いに異なることがある（例：列反転、点反転）。
【００５５】
次に、図４及び図５を参照して、本発明の一実施形態による電子装置についてさらに詳細に説明する。
【００５６】
図４は、本発明の一実施形態による電子装置の一部を示すブロック図であり、図５は、図４に示す電子装置のうちのフィードバック部の回路図である。
【００５７】
まず、図４に示すように、本発明の一実施形態による電子装置は、中央処理部１０００、表示装置２０００、及び中央処理部１０００と表示装置２０００との間に接続されているフィードバック部３０００（ｆｅｅｄｂａｃｋ  ｕｎｉｔ）を有する。
【００５８】
フィードバック部３０００は、表示装置２０００に静電気が印加されたか否かに対する情報を含んでいる信号を中央処理部１０００に伝達する。そうすると、中央処理部１０００はフィードバック部３０００から伝達を受けた信号に基づいて表示装置２０００を駆動する。つまり、表示装置２０００に静電気が印加されない場合には、中央処理部１０００は、上述したように入力映像信号Ｒ、Ｇ、Ｂ及び制御信号を出力する。しかし、表示装置２０００に静電気が印加された場合には、表示装置２０００の表示動作が正常に行われない。この時、中央処理部１０００は、フィードバック部３０００からの信号に基づいて表示装置２０００の表示動作を初期化して正常に駆動されるようにする。これについて図５及び上述した図４を参照してさらに詳細に説明する。
【００５９】
図５を参照すれば、本発明の一実施形態による電子装置のフィードバック部３０００は、第１端子Ｅ１及び第２端子Ｅ２を有する。
【００６０】
第１端子Ｅ１は表示装置２０００と接続されており、より詳しくは、表示装置２０００の可撓性印刷回路基板６５０を通じて駆動チップ７００、特に駆動チップ７００のうちの駆動電圧生成部７１０と接続されている。第１端子Ｅ１には駆動電圧生成部７１０から表示装置２０００の駆動に必要な駆動電圧のうちの第１電圧ＧＶＤＤ、第２電圧ＶＧＨ、第３電圧ＶＧＬのいずれか一つの電圧が印加されうるが、この実施形態ではゲートオン電圧Ｖｏｎと同一な第２電圧ＶＧＨが印加されることが好ましい。
【００６１】
第２端子Ｅ２は、中央処理部１０００と接続されている。
【００６２】
フィードバック部３０００は、トランジスタＴＲ、トランジスタＴＲにそれぞれ接続されている第１抵抗Ｒ１及び第２抵抗Ｒ２、並びにトランジスタＴＲに接続されている第３抵抗Ｒ３を有する。
【００６３】
第１抵抗Ｒ１は第１端子Ｅ１と第１ノードｎ１との間に接続されており、第２抵抗Ｒ２は第１ノードｎ１と接地電圧との間に接続されている。第１抵抗Ｒ１及び第２抵抗Ｒ２それぞれの抵抗値の比は６：１であることが好ましく、例えば、第１抵抗Ｒ１の抵抗値は１８０ＫΩであり、第２抵抗Ｒ２の抵抗値は３０ＫΩであり得る。
【００６４】
トランジスタＴＲは、入力電極、出力電極、及び制御電極を有するｎ型トランジスタである。トランジスタＴＲの入力電極は第２ノードｎ２に接続されており、出力電極は接地電圧と接続されており、制御電極は第１ノードｎ１に接続されている。
【００６５】
本実施形態においては、フィードバック部３０００がトランジスタＴＲを有することと説明したが、これに限定されず、これに対応するスイッチング素子を有することができ、例えば、演算増幅器（ＯＰ−ａｍｐ）を備えることもできる。
【００６６】
第３抵抗Ｒ３は、基準電源Ｖｐと第２ノードｎ２との間に接続されている。第３抵抗Ｒ３はトランジスタＴＲを保護する役割を果たし、基準電源Ｖｐが電流制限されている場合は省略することも可能である。
【００６７】
次に、本発明の一実施形態による中央処理部１０００、表示装置２０００、及びフィードバック部３０００の動作について詳細に説明する。
【００６８】
表示装置２０００に静電気が印加されると、駆動電圧生成部７１０で駆動電圧の昇圧がうまく行われないため、所望の水準の駆動電圧が生成されない。つまり、各駆動電圧が、電位が必要な水準を維持せず、さらに低く出力される。
【００６９】
駆動電圧のうちの一つである第２電圧ＶＧＨもうまく昇圧できず、基準より低い値で第１端子Ｅ１に入力される。第１ノードｎ１の電圧及びトランジスタＴＲの制御端子の電圧は、第１端子Ｅ１に入力された第２電圧ＶＧＨが第１抵抗Ｒ１及び第２抵抗Ｒ２それぞれの抵抗値によって分配されて決定される。
【００７０】
第１ノードｎ１の電圧値がトランジスタＴＲのしきい電圧より低ければ、トランジスタＴＲはターンオフの状態を維持する。したがって、第２ノードｎ２の電圧は、基準電圧Ｖｐが第３抵抗Ｒ３（及びターンオフ時の電流）によって降下した値となり、これが第２端子Ｅ２に印加される。このように第２端子Ｅ２に印加される信号のレベルを第１レベルという。
【００７１】
第２端子Ｅ２に印加される信号のレベルが第１レベルである場合には、中央処理部１０００は、表示装置２０００に静電気が印加されて表示動作にエラーが発生することを認知し、表示装置１０００の駆動条件を初期化して、再び駆動電圧生成が正常に行われるようにする。その後、表示装置２０００の表示動作を再開すれば、静電気によって表示状態が不良となることが認知されないか、または認知される時間が短くなる。
【００７２】
一方、表示装置２０００に静電気が印加されない場合には、正常に昇圧された第２電圧ＶＧＨが第１端子Ｅ１に印加される。上述したように、第１ノードｎ１及びトランジスタＴＲの制御端子の電圧は、第２電圧ＶＧＨが第１抵抗Ｒ１及び第２抵抗Ｒ２それぞれの抵抗値によって分配されて決定される。
【００７３】
第２電圧ＶＧＨが正常に昇圧されたので、トランジスタＴＲの制御端子の電圧はトランジスタＴＲのしきい電圧より高い。そうすると、トランジスタＴＲがターンオンし、第２ノードｎ２の電圧は接地電圧と同一になる。したがって、第２端子Ｅ２には接地電圧と同じレベルの信号が印加される。これを第２レベルという。第２レベルは第１レベルより低い電圧レベルである。
【００７４】
そうすると、中央処理部１０００は、表示装置２０００に静電気が印加されないことを認知し、入力映像信号Ｒ、Ｒ、Ｇ、Ｂ及び制御信号を表示装置２０００に印加して正常な表示状態を維持する。
【００７５】
つまり、フィードバック部３０００で中央処理部１０００に印加される信号のレベルが第１レベルであるか、または第２レベルであるかにより、中央処理部１０００は表示装置２０００に静電気が印加されたか否かを認知し、表示動作のエラーが認識されないように表示装置１０００を制御する。
【００７６】
以上、本発明の好ましい実施形態について詳細に説明したが、本発明の権利範囲はこれらに限定されるわけではなく、本発明の基本概念を利用した当業者の種々の変形及び改良形態も本発明の権利範囲に属するものである。
【図面の簡単な説明】
【００７７】
【図１】本発明の一実施形態による液晶表示装置の分解斜視図である。
【図２】本発明の一実施形態による電子装置のブロック図である。
【図３】本発明の一実施形態による液晶表示装置の一つの画素に対する等価回路図である。
【図４】本発明の一実施形態による電子装置の一部を示すブロック図である。
【図５】本発明の一実施形態による電子装置のフィードバック部を示す回路図である。
【符号の説明】
【００７８】
３    液晶層
１００    下部表示板
１９１    画素電極
２００    上部表示板
２３０    カラーフィルタ
２７０    共通電極
３００    液晶表示板組立体
３３０    表示板部
３６１    上部シャーシ
３６２    下部シャーシ
３６３    モールドフレーム
４００    ゲート駆動部
５００    データ駆動部
６００    信号制御部
６５０    可撓性印刷回路基板
６６０    突出部
６７０    印刷回路基板
７００    駆動チップ（駆動部）
７１０    駆動電圧生成部
８００    階調電圧生成部
９００    バックライト部
９０１    光学シート
９０２    導光板
９０３    反射シート
１０００    中央処理部
２０００    表示装置
３０００    フィードバック部
【図１】
0005705401.tif 000002
【図２】
0005705401.tif 000003
【図３】
0005705401.tif 000004
【図４】
0005705401.tif 000005
【図５】
0005705401.tif 000006